(57)【要約】      （修正有）【課題】足底部が突っ張ることのない、履き心地の優れた靴下を提供する。【解決手段】靴下を、つま先部５と踵部３との間に足底部８側のコース数を足甲部９側よりも増やした底延部１３を成形し、そのコース数が２０から３０コースであることを特徴とする。又、足底部８の足長方向長さを足甲部９よりも長く設けた構成にする。【選択図】図２
2006045743.tif 000002
【特許請求の範囲】
【請求項１】
つま先部と踵部との間に足底部側のコース数を足甲部側よりも増やした底延部を成形し、足底部の足長方向長さを足甲部よりも長く設けた靴下。
【請求項２】
前記つま先部と踵部との間に、足底部の母趾側から足甲部側に亘った部分でコース数を増やした側延部を成形したことを特徴とする請求項１に記載の靴下。
【請求項３】
前記底延部のコース数が、２０から３０コースであることを特徴とする請求項１または２に記載の靴下。
【請求項４】
前記底延部のコース数が、前記踵部の足底面を形成するコース数の７３％から８７％であることを特徴とする請求項１から３のいずれかに記載の靴下。
【請求項５】
前記側延部のコース数が、１０から１４コースであることを特徴とする請求項１から４のいずれかに記載の靴下。
【発明の詳細な説明】
【技術分野】
【０００１】
この発明は、靴下に関する。
【背景技術】
【０００２】
一般に、靴下は、Ｋ式靴下編機などの靴下丸編機に代表される丸編機を用いて成形され、靴下の足部からつま先部に亘る範囲は、円筒状に編成される。このため、足部やつま先部は、左右対称の形状となり、足甲側と足底側も対称形状になる。したがって、つま先部は、爪先で最も突出する母趾部分を基準として寸法を決めることになる。しかし、このようにつま先部を成形すると、人の足は母趾と比べて第５趾が短く、第５趾側が薄肉なので、つま先部の第５趾側に弛みが生じる。
【０００３】
そこで、つま先部が爪先の平面形状に沿うようにウェール数を増減すると共に、つま先部が各足趾の長さに応じた厚みになるように母趾側のコース数を他の部分よりも増やした靴下がある（特許文献１、特許文献２）。特許文献１に記載のような靴下は、つま先部が爪先にぴったりとフィットする形状になるので、つま先部のフィット性を改善することができる。
【０００４】
【特許文献１】特許第２８９５４７３号公報
【特許文献２】実用新案登録第３０７０６７０号公報
【発明の開示】
【発明が解決しようとする課題】
【０００５】
しかしながら、特許文献１に記載のような靴下は、足部が左右対称であり、しかも足甲側と足底側も対称の形状なので、爪先で地面を蹴り出す瞬間など、足趾が上下に大きく屈曲される際に、足底部が母趾球部分によってつま先部側に引っ張られるという問題があった。
【０００６】
特に、特許文献１に記載のような靴下は、つま先部全体が爪先にフィットする分、足底部が趾球部分全体によってつま先部側に強く引っ張られる。このため、特許文献１に記載のような靴下には、足底部に突っ張り感がより生じ易く、履き心地が悪いという問題があった。さらに、足底部が突っ張ると、レッグ部が、踵部を介して足底部側に引っ張られるので、下方にずり落ち易い。また、足底部が、つま先部側に引っ張られて編地が緩むので、傷み易いという問題もあった。
【０００７】
そこで、この発明の課題は、足底部が突っ張ることのない、履き心地の優れた靴下を提供することにある。
【課題を解決するための手段】
【０００８】
上記の課題を解決するため、この発明は、靴下を、つま先部と踵部との間に足底部側のコース数を足甲部側よりも増やした底延部を成形し、足底部の足長方向長さを足甲部よりも長く設けた構成とした。
【０００９】
上記構成によれば、つま先部と踵部との間に足底部側のコース数を足甲部側よりも増やした底延部を成形し、足底部の足長方向長さを足甲部よりも長く設けたので、足底部にゆとりが設けられる。これにより、足底部は、母趾球部分と接触しても、足底部にゆとりがある分、つま先部側に引っ張られることが防止されるので、突っ張り難くなる。
【００１０】
上記構成においては、前記つま先部と踵部との間に、足底部の母趾側から足甲部側に亘った部分でコース数を増やした側延部を成形した構成を採用することも好ましい。この構成によれば、靴下のうち母趾球と接触する部分のゆとりを他の部分よりも大きく設けられるので、足底部の母趾側における突っ張りがより確実に防止される。
【００１１】
また、上記構成においては、前記底延部のコース数が、２０から３０コースである構成を採用することができる。ここで、前記底延部のコース数は、足長方向長さにおいて前記底延部の最長部分の値である。
【００１２】
また、上記構成においては、前記底延部のコース数が、前記踵部の足底面を形成するコース数の７３％から８７％である構成を採用することも好ましい。ここで、前記底延部のコース数は、足長方向長さにおいて前記底延部の最長部分の値である。また、前記踵部の足底面を形成するコース数とは、底面視において踵部外形を構成するゴアライン部分のコース数のことをいう。
【００１３】
また、上記構成においては、前記側延部のコース数が、１０から１４コースである構成を採用することも好ましい。ここで、前記側延部のコース数は、足長方向長さにおいて前記側延部の最長部分の値である。
【発明の効果】
【００１４】
上述のように、この発明の構成によれば、足底部がつま先部側に引っ張られることが防止されるので、歩行時等に、足底部が突っ張ることのない、履き心地の優れた靴下を提供することができる。また、つま先部を爪先形状に合わせて成形しても、足底部が突っ張ることを効果的に解消できるので、全体のフィット感がバランスよく優れた靴下を提供することができる。
【発明を実施するための最良の形態】
【００１５】
以下、この発明の実施の形態を図１乃至図３に基づいて説明する。図１、図２に示すように、靴下は、靴下丸編機により伸縮糸を用いて編成されており、履き口側から爪先側へ順に、口ゴム部１と、レッグ部２と、踵部３と、足部４と、つま先部５とを有する。
【００１６】
口ゴム部１の下端には、レッグ部２が筒状に編成され、レッグ部２の足甲側には、靴下丸編機の正逆半回転動などにより、踵部３が成形されている。レッグ部２の足甲側端と踵部３の爪先側端には、足部４が筒状に連設され、足部４の爪先側端には、上記従来例と同様に、つま先部５が爪先形状に合わせて成形されている。
【００１７】
踵部３には、成形に伴って踵側ゴアライン６が両側に形成され、つま先部５には、成形に伴ってつま先側ゴアライン７が両側に形成されている。踵側ゴアライン６、６は、底面視において踵部３の外形を構成する。
【００１８】
足部４は、両踵側ゴアライン６、６を結ぶコースから両つま先側ゴアライン７、７を結ぶコースまでの部分である。踵側ゴアライン６の足甲側端６ａとつま先側ゴアライン７の踵側端７ａとを結ぶウェールＷを境界として、足部４の足底側部分が足底部８であり、足部４の足甲側部分が足甲部９である。
【００１９】
足部４には、靴下を足首部分にフィットさせるため、レッグ部２の足甲側端および踵部３の爪先側端に連続する締付帯部１０が、ゴム糸をコース方向に挿入することにより爪先側に幅をもって形成されている。
【００２０】
さらに、足部４には、つま先部５の踵側端に連続するリングトー部１１が、補強糸をコース方向に挿入することにより踵側に幅をもって形成されている。リングトー部１１は足趾と趾球部分との間に位置する（図３参照）。なお、つま先部５と足甲部９の境界は、先かがり１２となっている。
【００２１】
図２、図３に示すように、踵部３とつま先部５との間には、足底部８側のコース数を足甲部９側よりも増やした底延部１３が、リングトー部１１の踵側端に連続的に成形されている。底延部１３は、足底部８のうち趾球部分Ｂとの接触部付近から踵側に幅をもって設けられている。この底延部１３の成形に伴い、足底部８の足長方向長さは、底延部１３の長さ分だけ足甲部９よりも長くなっている。
【００２２】
底延部１３の成形位置としては、フットサイズに応じて、つま先側ゴアライン７、７の踵側端７ａ、７ａ間を結ぶコースから概ね１８から３６コース踵側のところで靴下丸編機を正逆半回転動するとよい。これにより、底延部１３が趾球部分Ｂにフィットするようになる。
【００２３】
底延部１３には、成形線１４が両側に形成されている。成形線１４、１４の踵側端１４ａ、１４ａは踵側ゴアライン６、６の足甲側端６ａ、６ａと同一または略同一のウェール上に設けられ、成形線１４、１４の爪先側端１４ｂ、１４ｂは踵側ゴアライン６、６の足底側端６ｂ、６ｂと同一または略同一のウェール上に設けられている。また、底延部１３の成形線１４、１４は、底面視において踵側ゴアライン６、６と同方向に傾斜するように設けられおり、足底部８の各ウェールにおいて、底延部１３と踵部３との間にあるコース数が一定または略一定とされている。成形線１４、１４を上述のように設けることにより、つま先部５が上下に屈曲された際、足底部８が足幅方向において概ね均一に伸縮されるので、足底部８の突っ張りが効果的に防止される。
【００２４】
底延部１３のコース数が概ね２０から３０コースであれば、足底部８の突っ張り感がほとんど解消される。通常、前記のコース数によれば、底延部１３の足長方向長さは、１．５ｃｍから３．０ｃｍとなる。より好ましくは、底延部１３のコース数を２２から２６コースにするとよい。２２コース未満であれば、つま先部５に突っ張り感が生じ易くなり、２６コースを超えると、足底部８の編地に弛みが生じ易くなるからである。なお、底延部１３のコース数は、足長方向長さにおいて底延部１３の最長部分の値であり、具体的には、成形線１４の両踵側端１４ａ、１４ａを結ぶコースから両爪先側端１４ｂ、１４ｂを結ぶコースまでのコース数である。
【００２５】
また、上記底延部１３のコース数は、踵部３の足底面のコース数の７３％から８７％であることが好ましい。底延部１３のコース数が踵部３の足底面のコース数の７３％未満だと、つま先部５に突っ張り感を生じ易くなり、８７％を越えると、足底部８の編地に弛みが生じ易くなる。なお、踵部３の足底面を形成するコース数は、底面視において踵部３の外形を構成する踵側ゴアライン６部分のコース数のことであり、具体的には、踵側ゴアライン６、６の足甲側端６ａ、６ａを結ぶコースから足底側端６ｂ、６ｂを結ぶコースまでのコース数である。
【００２６】
さらに、つま先部５と踵部３との間には、足底部８の母趾側から足甲部９側に亘った部分でコース数を増やした長楕円状の側延部１５が、靴下丸編機の正逆半回転動などにより成形されている。側延部１５は、底延部１３の爪先側縁に連続し、ウェールＷを対称軸とする対称形に設けられている。
【００２７】
側延部１５のコース数は、１０から１４コースであることが好ましい。通常、前記のコース数によれば、側延部１５の足長方向長さは、０．８ｃｍから１．５ｃｍとなる。側延部１５のコース数が１０コース未満だと、つま先部５に突っ張り感を生じ易くなり、１４コースを越えると、つま先部５の編地に弛みが生じ易くなる。なお、側延部１５のコース数は、足長方向長さにおいて側延部１５の最長部分の値であり、具体的には、側延部１５においてウェールＷ上のコース数である。
【００２８】
上記実施形態において、踵部３の足底面を形成するコース数を３０コースに固定し、底延部１３のコース数、足底部８の編組織および側延部１５の有無を変更した場合に、足底部８の突っ張り感がどのように変化するか評価を行った。その評価結果を表１に示す。
【００２９】
【表１】
2006045743.tif 000003
【００３０】
表１に示すように、底延部１３のコース数を１２コース（約１．５ｃｍ）とした場合には、足底部８の編組織の種類にかかわらず、足底部８の突っ張り感が十分に解消されない。しかし、底延部１３のコース数を２２コース（約２．２ｃｍ）とした場合には、足底部８の突っ張り感が解消された。ここで、底延部１３のコース数が１２コースの場合は、踵部３の足底面を形成するコース数の４０％に該当し、底延部１３のコース数が２２コースの場合は、踵部３の足底面を形成するコース数の７３％に該当する。
【００３１】
また、底延部１３のコース数がいずれの場合でも、つま先部５を含めた母趾側と第５趾側の伸び比率は、母趾側が第５趾側に対して８５％となった。
【００３２】
一方、上記実施形態において、踵部３の足底面を形成するコース数を３０コースに固定し、底延部１３のコース数を２２コース、側延部１５のコース数を１２コース（約１．０ｃｍ）とした場合において、足底部８の突っ張り感の評価を行った。その評価結果を表２に示す。
【００３３】
【表２】
2006045743.tif 000004
【００３４】
表２に示すように、足底部８の編組織の種類にかかわらず、側延部１５を設けると、足底部８の突っ張り感がより顕著に解消された。
【００３５】
また、つま先部５を含めた母趾側と第５趾側の伸び比率は、母趾側が第５趾側に対して１００％となり、足底部８の母趾側の伸縮性が、表１の場合と比べてより良好になることが確認された。
【００３６】
なお、上記表１および表２の評価は、フットサイズを２５ｃｍから２７ｃｍの間で行い、いずれのフットサイズにおいても略同様の評価結果が得られた。
【図面の簡単な説明】
【００３７】
【図１】この発明の実施形態に係る靴下の全体斜視図。
【図２】同上の底面図。
【図３】同上の使用状態を母趾側から示した側面図。
【符号の説明】
【００３８】
１  口ゴム部
２  レッグ部
３  踵部
４  足部
５  つま先部
６  踵側ゴアライン
７  つま先側ゴアライン
８  足底部
９  足甲部
１０  締付帯部
１１  リングトー部
１２  先かがり
１３  底延部
１４  成形線
１５  側延部
【図１】
2006045743.tif 000005
【図２】
2006045743.tif 000006
【図３】
2006045743.tif 000007